(57)【要約】【課題】希望するコンテンツデータを容易に選択できる技術を提供する。【解決手段】コンテンツデータが収容されたフォルダを複数有する再生データ群を読み取る読取手段と、読取手段で読み取った再生データ群に含まれるコンテンツデータの再生順位を、予め定められているデータ処理装置固有の再生順位情報に基づいて第一の再生順位データとして算出する再生順位データ算出手段と、算出された第一の再生順位データと、記憶装置に予め記憶されている再生履歴に基づく第二の再生順位データとを比較し、第一の再生順位データと一致又は類似する第二の再生順位データが存在するか否か判断する判断手段と、第一の再生順位データと一致する第二の再生順位データが存在しないと判断した場合、コンテンツデータをプリセットボタンの夫々にフォルダ単位で関連付ける第一の振り分け手段と、を備える。【選択図】図４
2008112517.tif 000002
【特許請求の範囲】
【請求項１】
複数のプリセットボタンを有する、コンテンツデータの再生処理を行うデータ処理装置であって、
前記コンテンツデータが収容されたフォルダを複数有する再生データ群を読み取る読取手段と、
前記読取手段で読み取った再生データ群に含まれるコンテンツデータの再生順位を、予め定められているデータ処理装置固有の再生順位情報に基づいて第一の再生順位データとして算出する再生順位データ算出手段と、
前記再生順位データ算出手段により算出された前記第一の再生順位データと、記憶装置に予め記憶されている再生履歴に基づく第二の再生順位データとを比較し、前記第一の再生順位データと一致又は類似する前記第二の再生順位データが存在するか否か判断する判断手段と、
前記判断手段が、前記第一の再生順位データと一致又は類似する前記第二の再生順位データが存在しないと判断した場合、所定の条件に基づいて前記コンテンツデータを前記プリセットボタンの夫々に前記フォルダ単位で関連付ける第一の振り分け手段と、
を備えるデータ処理装置。
【請求項２】
前記所定の条件は、予め定められているデータ処理装置固有の前記再生順位情報と、前記フォルダの作成日付順位、フォルダ名、再生回数に関する情報を含むフォルダ情報とのうちいずれか一つを含む、請求項１に記載のデータ処理装置。
【請求項３】
前記第一の振り分け手段による処理の実行を行うかについてユーザの指示を受け付ける第一の受付手段を更に備え、
前記第一の振り分け手段による処理は、前記第一の受付手段により受け付けたユーザの指示に基づいて実行される請求項１又は請求項２に記載のデータ処理装置。
【請求項４】
前記判断手段が、前記第一の再生順位データと一致又は類似する前記第二の再生順位データが存在すると判断した場合、前記第二の再生順位データに従って前記コンテンツデータを前記プリセットボタンの夫々に前記フォルダ単位で関連付ける第二の振り分け手段を更に備える、請求項１から請求項３のいずれかに記載のデータ処理装置。
【請求項５】
前記コンテンツデータの再生中において、再生中のコンテンツデータが含まれるフォルダを前記プリセットボタンに関連付けるか否かについてユーザの指示を受け付ける第二の受付手段と、
前記第二の受付手段が、再生中のコンテンツデータが含まれるフォルダを前記プリセットボタンに関連付けるとの指示を受け付けた場合、再生中のコンテンツデータが含まれるフォルダを前記複数のプリセットボタンのうちユーザが指定するプリセットボタンに関連付ける第三の振り分け手段と、を更に備える請求項１から請求項４のいずれかに記載のデータ処理装置。
【請求項６】
前記判断手段は、前記第一の再生順位データに含まれるコンテンツデータの総数およびフォルダの総数を有する第一の属性情報と、前記第二の再生順位データに含まれるコンテンツデータの総数およびフォルダの総数を有する第二の属性情報とを比較し、前記第一の属性情報及び前記第二の属性情報との誤差が所定の範囲内である場合に前記第一の再生順位データと類似する前記第二の再生順位データが存在すると判断する、請求項１から請求項５のいずれかに記載のデータ処理装置。
【発明の詳細な説明】
【技術分野】
【０００１】
本発明は、プリセットボタンを有する、コンテンツデータの再生処理装置に関する。
【背景技術】
【０００２】
車両に搭載されるデータ処理装置として、ＡＭ／ＦＭラジオ、ＣＤ、ＭＤプレーヤ、及びナビゲーション装置をユニット化したオーディオ・ナビゲーションシステム等が知られている。データ処理装置には、ユーザが希望するラジオ放送局やユーザが希望する曲を選択するための選択機能が設けられており、選択機能の種類としては、アップボタンとダウンボタンによって選択するタイプと、プリセットボタンによってダイレクトに選択するタイプが知られている。前者によれば、二つのボタンによって選択することができ、選択手段の設置スペースを小さくすることができる。一方、後者によれば希望する放送局や曲をダイレクトに選択することができる。
【０００３】
プリセットボタンを備えるデータ処理装置に関する技術として、例えば特許文献１には、ＣＤチェンジャーなどを備えることで複数の記録媒体が収容されている場合において、プリセットボタンを用いて希望する記録媒体を選択する技術が開示されている。このような技術によれば、希望する曲の他、希望する記録媒体自体をプリセットボタンによってダイレクトに選択することができる。
【特許文献１】特開２００４−１１８９４３号公報
【特許文献２】特開平５−３２５５１７号公報
【発明の開示】
【発明が解決しようとする課題】
【０００４】
近年ＵＳＢフラッシュメモリに代表される大容量の携帯音楽メディアが普及してきており、このような携帯音楽メディアを例えば車輌に搭載されるデータ処理装置（オーディオ・ナビゲーションシステム等）に接続することで車輌内においても前記携帯音楽メディアに格納されている音楽を楽しむことができる。
【０００５】
大容量の携帯音楽メディアには、複数のコンテンツデータが収容されたフォルダが階層構造を形成して複数記憶されている。このような大容量のメディアでは、一つのメディアで多くのコンテンツデータを収容することができる。しかし、希望するコンテンツデータを選択するに際しては、アップボタンとダウンボタンによる場合、数多くのアップダウン操作を行わなければならない。
【０００６】
アップボタン、ダウンボタンと異なり、プリセットボタンを用いることでダイレクトに希望するコンテンツデータを選択できる技術も知られている。しかし、従来の技術は、プリセットボタンとコンテンツデータを一対一に関連付ける、又はプリセットボタンとコンテンツデータが格納された記録媒体自体を関連付けるものであった。従って、複数のフォルダが記憶された大容量のメディアに対応した技術ではなく、プリセットボタンを用いて近年普及しつつある大容量メディアに収容されるコンテンツデータを選択できる技術の開発が望まれていた。
【０００７】
本発明では、上記した問題に鑑み、プリセットボタンを用いて複数のフォルダを有する再生データ群の中から希望するコンテンツデータを容易に選択できる技術を提供することを課題とする。
【課題を解決するための手段】
【０００８】
本発明では、上述した課題を解決するために、プリセットボタンの夫々にフォルダ単位で情報を関連付けることとした。
【０００９】
詳細には、本発明は、複数のプリセットボタンを有する、コンテンツデータの再生処理を行うデータ処理装置であって、前記コンテンツデータが収容されたフォルダを複数有する再生データ群を読み取る読取手段と、前記読取手段で読み取った再生データ群に含まれるコンテンツデータの再生順位を、予め定められているデータ処理装置固有の再生順位情報に基づいて第一の再生順位データとして算出する再生順位データ算出手段と、前記再生順位データ算出手段により算出された前記第一の再生順位データと、記憶装置に予め記憶されている再生履歴に基づく第二の再生順位データとを比較し、前記第一の再生順位データと一致又は類似する前記第二の再生順位データが存在するか否か判断する判断手段と、前記判断手段が、前記第一の再生順位データと一致又は類似する前記第二の再生順位データが存在しないと判断した場合、所定の条件に基づいて前記コンテンツデータを前記プリセットボタンの夫々に前記フォルダ単位で関連付ける第一の振り分け手段と、を備える。
【００１０】
本発明に係るデータ処理装置によれば、判断手段による判断結果に基づいて、第一の振り分け手段がプリセットボタンへフォルダを自動的に振り分けるので、次回コンテンツデータを再生する際は、希望するフォルダをプリセットボタンによってダイレクトに選択することが可能となる。その結果、複数のフォルダやコンテンツデータが格納されたデータ群から希望するコンテンツデータを容易に選択することができる。
【００１１】
読取手段は、記録媒体からコンテンツデータ（ファイル）を読み取るものであり、記録媒体には、ＵＳＢフラッシュメモリに代表される大容量の携帯音楽メディアが例示される。また、記録媒体は、データ処理装置に内蔵されるものであってもよい。なお、このような大容量メディアには、再生データ群として複数のコンテンツデータをフォルダに収容し、更にこのようなフォルダを階層構造を形成して複数収容することができる。
【００１２】
再生順位データ算出手段は、読み取った再生データ群のデータの構造解析を行って、コンテンツデータの再生順位を算出する。この再生順位の決定は、データ処理装置の固有の設定に基づいて行われるものである。最も簡易な設定としては、再生データ群の上層側のコンテンツデータから順に再生されることが例示できる。なお、データ処理装置の設定は、ユーザによって適宜変更してもよい。算出された再生順位は、第一の再生順位データとしてデータ処理装置内の記憶装置に適宜記憶することができる。
【００１３】
判断手段は、第一の再生順位データと第二の再生順位データとを比較し、第一の再生順位データと一致又は類似する第二の再生順位データが存在しないか判断する。第二の再生順位データとは、再生履歴に基づく過去の再生順位に関する情報であり、記憶装置に格納されている情報である。第一の再生順位データと一致又は類似する第二の再生順位データが存在しないか判断するするとは、完全に一致するデータが存在しないかを判断する他、似通ったデータ、すなわち類似するデータが存在しないかを判断することを意味する。なお、類似するデータが存在するか否かの判断においては、例えば、フォルダの総数、ファイルの総数、ファイルのデータサイズといった属性情報を比較して、その誤差が所定の範囲内である場合には、類似すると判断するようにしてもよい。
【００１４】
第一の振り分け手段は、フォルダをプリセットボタンに振り分ける（関連付ける）、すなわちプリセットする手段の一つであり、所定の条件に基づいて行われる。この振り分けは、判断手段が第一の再生順位データと一致又は類似する第二の再生順データが存在しないと判断した場合に行われる。所定の条件には、再生順位情報やフォルダ情報が例示できる。なお、第一の振り分け手段は、基本的には判断手段による処理の実行後自動的に行われるものである。但し、これに限定されるわけではなく、第一の振り分け手段による処理
を実行するか否かについてユーザの指示を受け付ける第一の指示受付手段を設け、該受付手段で受け付けた指示に基づいて処理を実行するようにしてもよい。
【００１５】
第一の振り分け手段に加えて、第二の振り分け手段を設けてもよい。第二の振り分け手段も第一の振り分け手段と同じく、フォルダをプリセットボタンに関連付けるものである。但し、第一の振り分け手段と異なり、第二の振り分け手段は、第二の再生順位データに従って振り分けるものである。また、第二の振り分け手段は、判断手段が第一の再生順位データと一致又は類似する第二の再生順データが存在すると判断した場合に行われる点でも、第一の振り分け手段とは異なるものである。第二の振り分け手段は、すなわち再生順位に関する過去の情報が存在するものの、この再生順位に従ったプリセットボタンへの振り分けが行われていない場合に実行されるものである。なお、第二の振り分け手段は、第一の振り分け手段と同じく、基本的には判断手段による処理の実行後自動的に行われるものとすることができる。但し、これに限定されるわけではなく、ユーザの指示に基づいて処理を実行するようにしてもよい。
【００１６】
上述した第一又は第二の振り分け手段は、共に自動的に行われるものであるが、ユーザが必要に応じてその都度手動で振り分け可能な、第三の振り分け手段を設けてもよい。このような手動で振り分け可能な第三の振り分け手段を設けることで、ユーザの嗜好をより反映したフォルダ単位でのプリセットボタンへの振り分けが可能となる。なお、第三の振り分け手段による振り分けは、第二の受付手段で受け付けたユーザの指示に基づいて行うことができる。第二の受付手段は、ユーザの指示を受け付けることが可能な構成であればよく、プリセットボタンを利用してもよい。プリセットボタンは、通常、振り分けたフォルダを呼び出す場合に使用するものである。したがって、プリセットボタンの設定を通常押し、長押しといったように使用方法を区別することで、プリセットボタンを第二の受付手段として機能させることが可能となる。
【００１７】
また、本発明は、上述したいずれかの機能を実現させる方法、又はプログラムであってもよい。また、本発明は、そのようなプログラムを記録した、コンピュータが読み取り可能な記憶媒体であってもよい。
【発明の効果】
【００１８】
本発明によれば、プリセットボタンを用いて、複数のフォルダを有する再生データ群の中から希望するコンテンツデータを容易に選択できる技術を提供することができる。
【発明を実施するための最良の形態】
【００１９】
次に、本発明に係るデータ処理装置の実施形態について図面に基づいて説明する。
【００２０】
図１は、本実施形態に係るデータ処理装置１００の概略構成を示す図である。本実施形態に係るデータ処理装置１００は、車両等の移動体に設置して好適に用いることができるが、これに限定されるわけではない。データ処理装置１００は、コンテンツデータとしての音楽データ（以下、単にコンテンツデータという。）を再生処理、加工処理をして移動体内のユーザに楽曲を提供するヘッドユニット１とコンテンツデータに関する情報、例えばコンテンツデータの再生経過時間やアーティスト情報等を表示する表示部３と、を備える電子機器装置である。
【００２１】
まず、ヘッドユニット１について説明する。ヘッドユニット１は、中央処理装置（以下、ＣＰＵとする。）４を有している。このＣＰＵ４は、その内部に、制御部５を有し、制御部５がハードディスクドライブ（以下、ＨＤＤとする。）１０、ＣＤ／ＤＶＤデッキ（以下、単にＣＤデッキとする。）１１、又はＵＳＢ（Ｕｎｉｖｅｒｓａｌ  Ｓｅｒｉａｌ
Ｂｕｓ）１２に接続されたＵＳＢフラッシュメモリ等に記憶された様々なコンテンツデ
ータにアクセスして、それらのコンテンツデータの再生等の処理を行う。
【００２２】
制御部５は、主として、ユーザに対して音楽を提供するために、ヘッドユニット１を、コンテンツデータを処理する装置として機能させるための制御を行うものであり、例えば、ヘッドユニット１は、コンテンツデータを移動体内で再生する機能を有する。コンテンツデータの再生処理について説明すると、ヘッドユニット１は、ＨＤＤ１０と、ＣＤデッキ１１と、ＵＳＢ１２と、操作部２と、を有しており、それぞれが制御部５と電気的に接続されている。また、制御部５には、ＤＳＰ（Ｄｉｇｉｔａｌ  Ｓｉｇｎａｌ  Ｐｒｏｃｅｓｓｏｒ）再生制御部１９が電気的に接続され、ＤＳＰ再生制御部１９では制御部５から送られるコンテンツデータに対して演算処理を施し、移動体内に設けられたパワーアンプ２０に音楽演奏のための電気信号を送る。更に制御部５には、ヘッドユニットの電源のＯＮ／ＯＦＦを切り替えるスイッチ１３やパワーアンプ２０から出力される音楽の音量を調整するボリュームコントロール１４が接続されている。
【００２３】
また、ＣＰＵ４内において、制御部５は、エンコード／デコード部６と暗号化／複合化部７と電気的に接続されている。エンコード／デコード部６では、コンテンツデータを記憶する際の該コンテンツデータの圧縮や、その圧縮されたコンテンツデータのＤＳＰ再生制御部１９での演算処理のための解凍が行われる。また、暗号化／複合化部７では、ＨＤＤ１０、ＣＤ，ＤＶＤ、ＵＳＢフラッシュメモリ等の内部に記憶されるコンテンツデータの著作権を保護するための暗号化、およびその複合化を行う。
【００２４】
また、ＣＰＵ４は、不揮発性のメモリとしてのＲＡＭ８とＲＯＭ９とも電気的に接続されており、必要に応じてこれらのメモリに記憶されている情報にアクセスし、記憶されている情報の読み込み、更新を行うことができる。
【００２５】
次に、ＣＰＵ４がアクセスして再生等を行うコンテンツデータについて説明する。図２は、コンテンツデータの一例を示す図である。本実施形態に係るデータ処理装置１００によって再生されるコンテンツデータは、複数のフォルダＦ１〜Ｆ４−２によって管理され、各フォルダＦ１〜Ｆ４−２がツリー構造をした階層構造を形成している。なお、換言すると、前記コンテンツデータは、階層型のディレクトリ構造によって管理されているも言える。このようなコンテンツデータは、ＵＳＢフラッシュメモリ１２に代表される携帯音楽メディアに収容することができるがこれに限定されるわけではない。フォルダによって管理される階層構造を有するデータであればよく、収容されているメディアは特に限定されるものではなく、ＣＰＵ４がアクセス可能であればよい。したがって、コンテンツデータは、ＣＤ、ＤＶＤ、ＨＤＤに収容されているものであってもよい。なお、図２に示されるコンテンツデータの集まりが、本発明の再生データ群に相当するものである。
【００２６】
図２に示すコンテンツデータの一例では、フォルダＦ１の中にフォルダＦ２が収容され、フォルダＦ２の中にフォルダＦ３−１、Ｆ３−２、Ｆ３−３、Ｆ３−４が収容され、フォルダＦ３−１の中にフォルダＦ４−１、Ｆ４−２が収容されている。そして、例えば、フォルダＦ２の中には、３つのコンテンツデータ（３つのファイル）、フォルダＦ３−１の中には、３つのコンテンツデータといったように、複数のコンテンツデータがそれぞれのフォルダに収容されている。また、それぞれのコンテンツデータは、表示名Ａ１と、属性情報（Ｂ１〜Ｂ１１）とを有している。なお、属性情報は、データ名（ファイル名）Ｂ１、トラック名Ｂ２、アーティスト名Ｂ３、アルバム名Ｂ４、お気に入り度Ｂ５、年代Ｂ６、ジャンルＢ７、コメントＢ８、歌詞Ｂ９、データサイズＢ１０、更新日Ｂ１１を有している。
【００２７】
次に、操作部２及び表示部３について説明する。図３は、操作部２及び表示部３を示す図である。操作部２は、移動体内のユーザ（移動体の操縦者や同乗者等のヘッドユニット
１の操作が可能である者であり、以下においても同様とする。）からのコンテンツデータの処理に関する指令を受け付ける。本実施形態に係る操作部２は、プリセットボタン３１と、アップ／ダウンボタン３２１、３２２と、自動プリセット（Ａｕｔｏ  Ｐｒｅｓｅｔ）ボタン３３と、を備える。また、本実施形態においては、プリセットボタン３１は、３１１〜３１６の六つのボタンにによって形成されている。
【００２８】
プリセットボタン３１１〜３１６には、上述したコンテンツデータをフォルダ単位で振り分けることが可能であり、フォルダが振り分けられた任意のプリセットボタンを選択することで、複数のコンテンツデータの中から希望するコンテンツデータを容易に選択することが可能となる。また、このプリセットボタン３１１〜３１６には、フォルダの他、希望するＡＭ／ＦＭラジオ放送局、コンテンツデータ（ファイル）単位での関連付けを行うこともできる。
【００２９】
なお、プリセットボタン３１１〜３１６は、ユーザが希望するプリセットボタンを選択することで、選択されたプリセットボタンに対応するフォルダがダイレクトに選択されることを可能とするものであり、プリセットボタン３１１〜３１６は、通常呼び出し機能を主な機能するものである。しかし、プリセットボタン３１１〜３１６には、登録機能を持たせることもできる。具体的には、通常押しをした場合には、呼び出しボタンとして機能させ、長押しした場合には、登録ボタンとして機能させることができる。これにより、例えば再生中にユーザが希望するプリセットボタンの一つを長押しすることで、長押しされたプリセットボタンへ再生中のコンテンツデータが含まれるフォルダを振り分けることが可能となる。なお、プリセットボタン３１１〜３１６へコンテンツデータを振り分ける処理については後述する。
【００３０】
アップ／ダウンボタン３２１、３２２は、アップボタン３２１とダウンボタン３２２とにより構成され、これらのボタンをユーザが適宜使用することで、希望するコンテンツデータを選択することができる。また、本実施形態では、プリセットボタンが六つ設けられており、少なくとも六つのフォルダを振り分けることが可能である。しかし、プリセットボタン３１１〜３１６へのフォルダの振り分けを階層分けして行うことで、より多くのフォルダを関連付けることが可能となる。そして、各層（各ページ）への移行は、アップ／ダウンボタン３２１、３２２によって行うことが可能となる。
【００３１】
自動プリセットボタン３３は、自動プリセット、すなわち、プリセットボタン３１１〜３１６へのフォルダの振り分けを所定の条件に基づいて自動で行うかにつき、ユーザに確認を求めるものである。これにより、自動プリセットを行うか否かについての設定をユーザが任意に選択することが可能となる。
【００３２】
表示部３は、ヘッドユニット１から送信されるコンテンツデータに関する情報を表示する。また、表示部３は、複数のプリセットボタン３１について、どのプリセットボタン（３１１〜３１６）に対してどのフォルダが振り分け（関連付け）られているかといったプリセット状態も表示する。例えば、図３では、プリセットボタン３１１にフォルダＦ２、プリセットボタン３１２にフォルダＦ３−１、プリセットボタン３１３にフォルダＦ４−１、プリセットボタン３１４にフォルダＦ４−２、プリセットボタン３１５にフォルダＦ３−２、プリセットボタン３１６にフォルダＦ３−３が振り分けられている。なお、プリセットボタン３１１〜３１６への振り分けが階層分けされている場合には、アップ／ダウンボタン３２１、３２２を適宜押すことで他の層（ページ）に振り分けられているフォルダ、すなわち各階層のプリセット状態を表示部３に表示することができる。
【００３３】
次に、制御部５で行われる、フォルダをプリセットボタン３１１〜３１６へ振り分ける制御（以下、プリセット制御という。）について説明する。図４は、制御部５で行われる
プリセット制御を示すフローである。なお、以下の説明においては、ＵＳＢフラッシュメモリに格納されたコンテンツデータを再生処理する場合について説明する。
【００３４】
ステップＳ０１では、携帯音楽メディアとしてのＵＳＢフラッシュメモリがＵＳＢ１２に接続されると、ＣＰＵ４が、ＵＳＢフラッシュメモリに格納されたコンテンツデータの取得を開始する（本発明の読取手段による処理に相当する。）。ＵＳＢフラッシュメモリからのコンテンツデータの取得が完了すると、ステップＳ０２へ進む。
【００３５】
ステップＳ０２では、ＣＰＵ４は、取得したコンテンツデータの解析を行い、第一再生順位データを算出する（本発明の再生順位データ算出手段による処理に相当する。）。第一再生順位データは、本発明の第一の再生順位データに相当するものである。第一の再生順位データは、ＣＰＵ４が、データ処理装置の固有の情報として予め設定されている再生順位情報に基づいて算出する。再生順位データは、例えば、フォルダの作成日付、ＡＳＣＩＩ（Ａｍｅｒｉｃａｎ  Ｓｔａｎｄａｒｄ  Ｃｏｄｅ  ｆｏｒ  Ｉｎｆｏｒｍａｔｉｏｎ  Ｉｎｔｅｒｃｈａｎｇｅ）コード、お気に入り度に代表される特別記号の有無、プレイリストファイルの有無、等に関するものである。再生順位データは、ＲＡＭ８又はＲＯＭ９に予め格納することができる。また、再生順位データは、必要に応じて書き換えてもよい。なお、算出された第一再生順位データは、算出後ＲＡＭ８等の記憶装置に適宜記憶することができる。第一再生順位データの算出が完了すると、ステップＳ０３へ進む。
【００３６】
ステップＳ０３では、ＣＰＵ４は、第一再生順位データと第二再生順位データとを比較する。第二再生順位データとは、データ処理装置１００の再生履歴に基づく情報であり、ＲＡＭ８等の記憶装置に格納されている情報である。なお、上述した第一再生順位データは、次回の再生時、第二再生順位データとして扱われることになる。第一再生順位データと第二再生順位データとの比較が完了すると、ステップＳ０４へ進む。
【００３７】
ステップＳ０４では、ＣＰＵ４は、第一再生順位データと一致（又は類似）する第二再生順位データが存在しないか判断する（ステップＳ０３における比較処理とこのステップＳ０４における判断処理が、本発明の判断手段による処理に相当する。）。すなわち、ＣＰＵ４は、フォルダ数、データ数（ファイル数）を含むデータ構造を比較することで、第一再生順位データと一致（又は類似）する第二再生順位データが存在しないか判断する。
【００３８】
ここで、図５は、第二再生順位データテーブルの一例を示す図である。同図に示すように、過去に取得したコンテンツデータがメディア単位のそれぞれにＩＤが付されて管理されている。そして、メディアが接続されコンテンツデータが取得され登録された日、コンテンツデータの内容に更新があった場合には更新がなされた日、メディアの識別、ボリューム名、最上層のフォルダ名、フォルダの総数、フィル総数がそれぞれ記録されている。なお、ステップＳ０１において新たなコンテンツデータの取得が開始された際は、接続されたメディアに対してＩＤが付され、既に記憶されている図５に示すような第二再生順位テーブルに記録されている第二再生順位データと比較されることになる。
【００３９】
なお、第一再生順位データと類似する第二再生順位データが存在するか否かの判断においては、例えば、総フォルダ数ｎ以上かつ総ファイル数ｎ以上といったパラメータを予め設定し、これに従ってＣＰＵ４が類似するか否か判断してもよい。具体的には、第一再生順位データにおける総フォルダ数が１２、総ファイル数が１５０である場合において、総フォルダ数１０以上、総ファイル数１５０以上といったパラメータが設定されている場合には、この条件に該当する第二再生順位データとして記録ＩＤ００２が選択され、このデータは前記第一再生順位データと類似すると判断されることになる。なお、類似するか否かの判断においては、各コンテンツデータのサイズが一致するか否かや、コンテンツデータの属性情報が一致するか否か等、段階的に判断基準を追加して、より完全一致に近い第
二再生順位データが抽出されるようにしてもよい。
【００４０】
なお、データ構造が類似する場合であっても、フォルダ名やコンテンツデータ名の変更等によって、第一再生順位データと第二再生順位データとが一致しない場合が想定される。このような場合に対応するため、ステップＳ０４におけるＣＰＵ４の判断にあたっては、ユーザに確認を求めるようにしてもよい。これにより、ステップ０４における判断において、より柔軟な対応が可能となる。
【００４１】
ステップＳ０４において、ＣＰＵ４が、第一再生順位データと一致（又は類似）する第二再生順位データが存在しないと判断した場合、ステップＳ０５へ進む。一方、ステップＳ０４において、ＣＰＵ４が、第一再生順位データと一致（又は類似）する第二再生順位データが存在すると判断した場合、ステップＳ１０へ進む。
【００４２】
ステップＳ０５では、ＣＰＵ４は、自動プリセットボタン３３（本発明の第一の受付手段に相当する。）がＯＮであるか否か判断する。ＣＰＵ４が、自動プリセットボタン３３がＯＮであると判断した場合、ステップＳ０６へ進む。一方、ステップＳ０５において、ＣＰＵ４が、自動プリセットボタン３３がＯＦＦであると判断した場合、ステップＳ１１へ進む。
【００４３】
ステップＳ０６では、ＣＰＵ４は、予め設けられた条件設定に基づいて、フォルダをプリセットボタン３１１〜３１６へ自動的に振り分ける（本発明の第一の振り分け手段による処理に相当する。）。上記条件設定における条件は、例えば、フォルダの作成日付、ＡＳＣＩＩコード、特別記号の有無、プレイリストファイルの有無、等とすることができ、これらの条件は、ステップＳ０２における再生順位データの算出における再生順位情報と共通化することもできる。この場合、再生順位にしたがって、プリセットボタン３１１、３１２、３１３・・へと関連付けることができる。また、フォルダ数がプリセットボタンの数（本実施形態では、六つ。）を上回る場合は、プリセットボタンに階層を設けて、３１６の振り分け完了後は、ページ２のプリセットボタン３１１、３１２、３１３といったように順次関連付ければよい。
【００４４】
また、条件を別途設ける場合には、例えば、フォルダの作成日付、ＡＳＣＩＩコード、特別記号の有無、プレイリストファイルの有無、について優先順位を設け、これに従って、順次振り分けることができる。例えばフォルダの作成日付による場合、フォルダの作成日付順位に従って、データの並べ替えを行い、フォルダの作成日付が古いものから順にプリセットボタン３１１、３１２、３１３、といったように順次振り分けることができる。なお、振り分けるフォルダ数がプリセットボタン３１１〜３１６の数を上回る場合には、上述したようにプリセットボタンに階層を設けて、３１６の振り分け完了後は、ページ２のプリセットボタン３１１、３１２、３１３といったように順次関連付ければよい。ステップＳ０６において、プリセットボタンへの振り分けが完了すると、ステップＳ０７へ進む。
【００４５】
ここで、図６は、振り分けテーブルの一例を示す図である。同図に示すように各プリセットボタンへ所定の条件に基づいてフォルダが振り分けられている。なお、図６における記録ＩＤは、振り分けテーブルに記録される際に識別子として付されるものである。また、プリセットボタンＮＯにおけるＰ１、Ｐ２等は、各層（ページ）を表すものであり、本テーブルは６つのプリセットボタンと６ページの層によって形成されていることを意味する。
【００４６】
ステップＳ０４において、ＣＰＵ４が、第一再生順位データと一致（又は類似）する第二再生順位データが存在すると判断した場合、ステップＳ１０へ進み、ステップＳ１０で
は、ＣＰＵ４は、第二再生順位データに基づいてプリセットボタン３１１〜３１６への振り分ける。なお、係る処理は、過去に再生の履歴があるもののプリセットボタン３１１〜３１６への振り分けが行われていない場合において行われる。なお、フォルダのプリセットボタン３１１〜３１６への振り分け順序は、例えばフォルダの再生順位に従って、プリセットボタン３１１、３１２、３１３・・へと振り分けることができる。ステップＳ１０において、プリセットボタンへの振り分けが完了すると、ステップＳ０７へ進む。
【００４７】
ステップＳ０５において、ＣＰＵ４が、自動プリセットボタン３３がＯＦＦであると判断した場合、ステップＳ１１へ進む。ステップＳ１１では、ＣＰＵ４は、マニュアルプリセットボタン（本発明の第二の受付手段に相当する。）がＯＮであるか否かを判断する。マニュアルプリセットがＯＮであるか否かの判断は、ＣＰＵ４が例えばプリセットボタン３１１〜３１６が長押し状態にあるか否かを判断することで実行される。これは、プリセットボタン３１１〜３１６が、呼び出し機能の他、登録機能を有する場合に実行することができる。マニュアルプリセットがＯＮであるか否かの判断はこれに限定さえれるわけではない。別途、ボタンを設けて、ユーザの指示を受け付けるようにしてもよい。なお、マニュアルプリセットは、上述したステップＳ０６、ステップＳ１０では、ＣＰＵ４によって自動で振り分けわれるのに対し、その都度ユーザによって手動によって振り分けられる点で異なるものである。
【００４８】
ステップＳ１１においてＣＰＵ４がマニュアルプリセットがＯＮであると判断した場合、ステップＳ１２へ進む。一方、ステップＳ１１においてＣＰＵ４がマニュアルプリセットがＯＦＦであると判断した場合、ＣＰＵ４は、再度ステップＳ０５における処理を実行する。
【００４９】
ステップＳ１２では、ＣＰＵ４は、ユーザの指示に基づいてフォルダ単位でプリセットボタン３１１〜３１６へ振り分ける。例えば、プリセットボタン３１１〜３１６が登録機能を有する場合には、ＣＰＵ４は、再生中のコンテンツデータが含まれるフォルダを算出し、長押しされたプリセットボタンへ算出したフォルダを関連付ける。これにより、再生中のコンテンツデータを適宜ユーザの希望するプリセットボタンへ振り分けることが可能となる。ステップＳ１２において、プリセットボタンへの振り分けが完了すると、ステップＳ０７へ進む。
【００５０】
ステップＳ０７では、ステップＳ０６、ステップＳ１０、ステップＳ１２における振り分け処理を実行する。なお、この際、ＣＰＵ４は、ユーザに対して振り分け処理を実行するか確認を求めるようにしてもよく、ユーザの確認が取れた場合に限って初めて、ステップＳ０６、ステップＳ１０、ステップＳ１２における振り分け処理を実行するようにしてもよい。これにより、誤って自動振り分けが行われてしまう事態や誤操作によって振り分けを行ってしまうことを回避することができる。ステップＳ０７において、振り分け処理が実行されるとステップＳ０８へ進む。
【００５１】
ステップＳ０８では、ＣＰＵ４は、メディアが排出されたことを確認する。そして、メディアが排出されることが確認されると、ステップＳ０９において、ＣＰＵ４は、実行した振り分け状態のＲＡＭ８への記憶を確定させる。なお、本実施形態では、メディアの排出が確認された後にＲＡＭ８への記憶を確定させることとしたがこれに限定されるわけではない。
【００５２】
以上説明した本実施形態に係るデータ処理装置１００によれば、フォルダ単位で各プリセットボタン３１１〜３１６へ自動的に振り分けが行われるので、次回再生する際に希望するプリセットボタンを選択するだけで、希望するコンテンツデータが含まれるフォルダをダイレクトに選択することができる。したがって、階層構造を有するコンテンツデータ
が収容された大容量の携帯音楽メディア等を接続した場合であっても、容易に希望するコンテンツデータを呼び出すことができる。また、自動的に行われる振り分け手段に加えて、手動で行うこともできるので、よりユーザの嗜好を反映した振り分けを行うことができる。
【００５３】
以上、本発明の好適な実施形態を説明したが、本発明に係るデータ処理装置はこれらに限らず、可能な限りこれらの組合せを含むことができる。
【図面の簡単な説明】
【００５４】
【図１】データ処理装置の概略構成を示す図である。
【図２】コンテンツデータの一例を示す図である。
【図３】操作部及び表示部を示す図である。
【図４】制御部で行われるプリセット制御を示すフローである。
【図５】第二再生順位データテーブルの一例を示す図である。
【図６】振り分けテーブルの一例を示す図である。
【符号の説明】
【００５５】
１・・・ヘッドユニット
２・・・操作部
３・・・表示部
４・・・ＣＰＵ
５・・・制御部
８・・・ＲＡＭ
９・・・ＲＯＭ
１２・・・ＵＳＢ
３１・・・プリセットボタン
１００・・・データ処理装置 
【図１】
2008112517.tif 000003
【図２】
2008112517.tif 000004
【図３】
2008112517.tif 000005
【図４】
2008112517.tif 000006
【図５】
2008112517.tif 000007
【図６】
2008112517.tif 000008